(57)【要約】【課題】省スペースで、かつ、可及的にノイズ除去できること。【解決手段】一のベタアースパターンＥ１と、電源ライン２から伝播されるノイズを除去するコモンモードチョークコイルＬ１とを備える回路基板１であって、ベタアースパターンＥ１は、コモンモードチョークコイルＬ１によりノイズが除去される前の一次側と接続される第１配線４と、コモンモードチョークコイルＬ１を介し、ノイズが除去された二次側と接続される第２配線６とが接続されており、第１配線４が接続される領域と第２配線６が接続される領域との間が分離されている。【選択図】図１
2017103333.tif 000002
【特許請求の範囲】
【請求項１】
接地用の一のベタパターンと、電源ラインから伝播されるノイズを除去するフィルタ回路とを備える回路基板であって、
前記ベタパターンは、前記フィルタ回路により前記ノイズが除去される前の一次側と接続される第１配線と、前記フィルタ回路を介し、前記ノイズが除去された二次側と接続される第２配線とが接続されており、前記第１配線が接続される領域と前記第２配線が接続される領域との間が分離されている回路基板。
【請求項２】
前記ベタパターンは、前記一次側における異なる相と接続される領域間、および／または前記二次側における異なる相と接続される領域間で、分離されている請求項１に記載の回路基板。
【請求項３】
接地用の一のベタパターンと、電源ラインから伝播されるノイズを除去するフィルタ回路とを備える回路基板の製造方法であって、
前記フィルタ回路により前記ノイズが除去される前の一次側と接続される第１配線と、前記フィルタ回路を介し、前記ノイズが除去された二次側と接続される第２配線とを前記ベタパターンに接続させる工程と、
前記ベタパターンにおける前記第１配線が接続される領域と、前記ベタパターンにおける前記第２配線が接続される領域との間を分離させる工程と
を有する回路基板の製造方法。
【発明の詳細な説明】
【技術分野】
【０００１】
本発明は、回路基板及びその製造方法に関するものである。
【背景技術】
【０００２】
従来、ノイズフィルタ回路は、コモンモードチョークコイルＬ１、ライン間コンデンサ、ラインアース間コンデンサ（Ｃ１，Ｃ２／Ｃ３，Ｃ４）、及びベタアースＥ１を備えるものが知られている（図４（ａ）（ｂ）参照）。図４（ａ）に示されるようなノイズフィルタ回路では、図４（ｂ）に示されるように、コモンモードチョークコイルＬ１の二次側のラインアース間コンデンサＣ３，Ｃ４で除去したノイズが、ベタアースＥ１を介してラインアース間コンデンサＣ１，Ｃ２を通し、コモンモードチョークコイスＬ１の一次側に重畳することがあり、雑音端子電圧のノイズレベルを悪化させてしまうため、これを解決する方法が提案されている。
下記特許文献１では、図５に示すように、複数の接地パターンＧＮＤ１，ＧＮＤ２を備え、隣り合う基板接地パターン同士（ＧＮＤ１とＧＮＤ２）の間隔は所定距離以下となるように配置されており、第１のコモンモードチョークコイルは、第１の基板接地パターンＧＮＤ１と第２の基板接地パターンＧＮＤ２に跨って配置される構成が提案されている。
【先行技術文献】
【特許文献】
【０００３】
【特許文献１】国際公開第２０１５／０５６３２１号
【発明の概要】
【発明が解決しようとする課題】
【０００４】
しかしながら、上記特許文献１の方法では、接地箇所を２つ用意する必要があるが、空気調和機の室内機等の限られた領域の場合には、室外機と比較して作業スペースが小さく、接地箇所を２つ用意することが困難であるという問題があった。
【０００５】
本発明は、このような事情に鑑みてなされたものであって、省スペースで、かつ、可及的にノイズ除去できる回路基板及びその製造方法を提供することを目的とする。
【課題を解決するための手段】
【０００６】
上記課題を解決するために、本発明は以下の手段を採用する。
本発明は、接地用の一のベタパターンと、電源ラインから伝播されるノイズを除去するフィルタ回路とを備える回路基板であって、前記ベタパターンは、前記フィルタ回路により前記ノイズが除去される前の一次側と接続される第１配線と、前記フィルタ回路を介し、前記ノイズが除去された二次側と接続される第２配線とが接続されており、前記第１配線が接続される領域と前記第２配線が接続される領域との間が分離されている回路基板を提供する。
【０００７】
本発明の構成によれば、フィルタ回路によりノイズが除去される前の一次側に接続される第１配線と、フィルタ回路を介してノイズが除去された二次側に接続される第２配線とが接続される接地用の一のベタパターンにおいて、第１配線が接続される領域と第２配線が接続される領域との間は分離されている。
このように、一次側と接続される第１配線と、二次側と接続される第２配線とが接続される接地用のベタパターンは１つであり、かつ第１配線と第２配線の間のベタパターンは分離されているので、二次側において除去されたノイズが、接地用のベタパターン及び第１配線を介して一次側に重畳することがない。これにより、１つの接地用ベタパターンを用いて、省スペースで、かつ、可及的にノイズ除去効果が得られる。
【０００８】
上記回路基板の前記ベタパターンは、前記一次側における異なる相と接続される領域間、および／または前記二次側における異なる相と接続される領域間で、分離されていてもよい。
【０００９】
一次側内の異なる相間或いは二次側内の異なる相間においてもベタパターンを分離させることにより、他の相にノイズが重畳することを防ぐ。
【００１０】
本発明は、接地用の一のベタパターンと、電源ラインから伝播されるノイズを除去するフィルタ回路とを備える回路基板の製造方法であって、前記フィルタ回路により前記ノイズが除去される前の一次側と接続される第１配線と、前記フィルタ回路を介し、前記ノイズが除去された二次側と接続される第２配線とを前記ベタパターンに接続させる工程と、前記ベタパターンにおける前記第１配線が接続される領域と、前記ベタパターンにおける前記第２配線が接続される領域との間を分離させる工程とを有する回路基板の製造方法を提供する。
【発明の効果】
【００１１】
本発明は、省スペースで、かつ、可及的にノイズ除去できるという効果を奏する。
【図面の簡単な説明】
【００１２】
【図１】本発明に係る回路ブロック図である。
【図２】本発明に係る回路パターンの概略図である。
【図３】本発明のその他の例に係る回路パターンの概略図である。
【図４】（ａ）従来例の回路ブロック図の一例である。（ｂ）（ａ）の回路ブロック図の回路パターンの概略図である。
【図５】従来例の他の回路ブロック図の一例である。
【発明を実施するための形態】
【００１３】
以下に、本発明の実施形態に係る回路基板及びその製造方法について図面を参照して説明する。本実施形態においては、回路基板は、空気調和機の室内機の制御装置に設けられることとして説明するが、本発明はこれに限定されない。
【００１４】
図１には、本実施形態に係る回路基板のブロック図を示している。
回路基板１は、電源２と、電源２から電力を供給される負荷３との間に接続されている。回路基板１は、第１回路１０と、ライン間コンデンサＣＸ１，ＣＸ２と，ラインアース間コンデンサＣ１，Ｃ２／Ｃ３，Ｃ４と、コモンモードチョークコイル（フィルタ回路）Ｌ１とを備えている。また、接地は、ベタアースパターン（接地用のベタパターン）Ｅ１とする。
第１回路１０は、第１バリスタＺＲ１と、第２バリスタＺＲ２と、アレスタＡ１とを備えており、雷サージ対策用の回路として設けられる。
コモンモードチョークコイルＬ１は、電源（ＡＣライン）２に重畳しているコモンモード雑音を除去するフィルタである。
【００１５】
ベタアースパターンＥ１は、接地（ＧＮＤ）のランドであり、接地端子５が接続されている（図２参照）。図１に示される回路基板１では、ベタアースパターンＥ１は、コモンモードチョークコイルＬ１の一次側に配置されているコンデンサＣ１，Ｃ２と接続される第１配線４と、コモンモードチョークコイルＬ１の二次側に配置されているコンデンサＣ３，Ｃ４と接続される第２配線６とが接続されている。
また、ベタアースパターンＥ１は、図２に示されるように、二次側で除去したノイズを、ベタアースパターンＥ１及び他の素子を介して一次側に重畳させないように、ベタアースパターンＥ１におけるコモンモードチョークコイルＬ１の一次側と二次側との間に切り欠き７を設け、一次側と二次側との接地のランドを分離させる。
【００１６】
ベタアースパターンＥ１の内部でコモンモードチョークコイルＬ１の一次側と二次側を分離しているので、二次側で除去されたノイズが、他の素子（例えば、コンデンサＣ１，Ｃ２）を通して一次側に重畳することがない。
また、図２に示されるように、ベタアースパターンＥ１の切り欠き７と、接地端子５との間に多少のベタアースパターンＥ１があったとしても、インピーダンスが大きいので、この多少のベタアースパターンＥ１を介してコンデンサＣ３，Ｃ４で除去されたノイズがコンデンサＣ１側に重畳されることはない。
【００１７】
以下に、回路基板１の作用について説明する。
電源２から電圧がかけられ、所定の規格を上回るノイズが生じている場合には、ライン間コンデンサＣＸ１，ＣＸ２によってディファレンシャルモードのノイズが抑制され、規制値以下にされる。また、コモンモードチョークコイルＬ１にてコモンモードのノイズが除去され、コモンモードノイズ電流が二次側のコンデンサＣ３，Ｃ４によって、ベタアースパターンＥ１に逃がされる。ベタアースパターンＥ１は、コモンモードチョークコイルＬ１の一次側のコンデンサＣ１，Ｃ２とも接続されているが、二次側のコンデンサＣ３，Ｃ４が接続される第２配線６と、一次側のコンデンサＣ１，Ｃ２が接続される第１配線４との間には切り欠き７が設けられているので、二次側で除去されたノイズが一次側に重畳されることはない。
【００１８】
以上説明してきたように、本実施形態に係る回路基板及びその製造方法によれば、コモンモードチョークコイルＬ１によりノイズが除去される前の一次側に接続される第１配線４に接続されるコンデンサＣ１，Ｃ２と、コモンモードチョークコイルＬ１を介してノイズが除去された二次側に接続される第２配線６から接続されるコンデンサＣ３，Ｃ４とが接続される接地用の一のベタアースパターンＥ１において、コンデンサＣ１，Ｃ２が接続される領域とコンデンサＣ３，Ｃ４が接続される領域との間は、切り欠き７によって分離されている。
このように、一次側と接続される第１配線４と、二次側と接続される第２配線６とが接続される接地用のベタアースパターンＥ１は１つであるが、第１配線４と第２配線６の間のベタパターンは分離されているので、二次側のコンデンサＣ３，Ｃ４において除去されたノイズが、接地用のベタアースパターンＥ１及び第１配線４を介して一次側のコンデンサＣ１，Ｃ２に重畳することがない。これにより、１つの接地用のベタアースパターンＥ１を用いて、省スペースで、かつ、可及的にノイズ除去効果が得られる。
【００１９】
以上、本発明の実施形態について図面を参照して詳述してきたが、具体的な構成はこの実施形態に限られるものではなく、本発明の要旨を逸脱しない範囲の設計変更なども含まれる。例えば、上記実施形態においては、コモンモードチョークコイルＬ１の二次側と一次側との間に切り欠きを設け、接地のランドを分離させていたが、接地のランドを分離させる方法はこれに限定されない。
【００２０】
一次側における異なる相と接続される領域間、および／または二次側における異なる相と接続される領域間で、分離されていてもよい。
具体的には、図３に示されるように、一次側のＲ相とＳ相との間に切り欠き７´を設ける、および／または二次側のＰ相とＮ相との間に切り欠き７´´を設けることとしてもよい。このように、一次側内の異なる相間或いは二次側内の異なる相間においてもベタアースパターンＥ１を分離させることにより、他の相にノイズが重畳することを防ぐ。
【符号の説明】
【００２１】
１  回路基板
２  電源
３  負荷
５  接地端子
７  切り欠き
Ｌ１  コモンモードチョークコイル（フィルタ回路）
Ｃ１，Ｃ２，Ｃ３，Ｃ４，ＣＸ１，ＣＸ２  コンデンサ
Ｅ１  ベタアースパターン
【図１】
2017103333.tif 000003
【図２】
2017103333.tif 000004
【図３】
2017103333.tif 000005
【図４】
2017103333.tif 000006
【図５】
2017103333.tif 000007